(57)【要約】      （修正有）【課題】自宅の居室であっても１人で練習可能な卓球練習装置の提供。【解決手段】台面４の傾斜角度を変えること可能な卓球台１を設け，訓練者がピンポン球を台面４に落下させる事により色々な放物線状の軌跡をつくることが可能となる。訓練者は好みの軌跡となるよう台面４の傾斜角度を調整した上で卓球の訓練を行う。コンパクトに構成されているため、自宅の居室スペースで一人で各種の打法の練習が出来る。【選択図】図１
2015037458.tif 000002
【特許請求の範囲】
【請求項１】
台面に落下させるピンポン球に放物線状の軌跡を与える傾斜角度を備えた卓球台。
【請求項２】
前記卓球台が前記台面の回転を案内する機構を更に備え、且つ前記機構が前記台面の回転軸の所定又は任意の角度を少なくとも一時的に維持する請求項１に記載の卓球台。
【請求項３】
前記ガイドレールが前記角度のうち、所定の角度（０°、１５°、３０°、４５°）に対応する位置の凹部に前記ピンを嵌合させることにより前記所定の角度を維持する請求項２に記載の卓球台。
【請求項４】
前記機構が前記台面の裏面に設けられ、付勢したピンを押し付けることにより０°〜４５°の範囲内の任意の角度を維持するガイドレールを備えた請求項２に記載の卓球台。
【請求項５】
前記台面の裏面に設けられた丁番の噛み合わせ部の複数の隙間に、前記噛み合わせ部の摩擦面と圧接させて摩擦抵抗を生ずるようにスプリングワッシャーを設けることにより、前記台面を水平面との角度を０°〜４５°の範囲内の任意の角度を維持する請求項２に記載の卓球台。
【発明の詳細な説明】
【技術分野】
【０００１】本願発明は競技用の卓球台（以下、「卓球台」と呼ぶ）を使わずに自宅の居室スペースで一人で練習が出来る練習用具に関する。
【背景技術】
【０００２】一般的には体育館や卓球センターなどで上述の卓球台を使い、二人のプレーヤーが向かい合って練習する。また、一人で練習するときは卓球台のプレーヤーに向けて送球される球出し装置を設置して練習する。
【先行技術文献】
【特許文献】
【０００３】
【特許文献１】実開昭５６−９８２７３公報
【０００４】卓球台の台面は水平で固定されている。
【発明の概要】
【発明が解決しようとする課題】
【０００５】一般的には上述の卓球台を使っての打球練習には必ず対面に相手プレーヤー、または上述のようなプレーヤーに向けて送球される球出し装置などが必要である。【０００６】また、上述の卓球台の大きさは巾１５２５ｍｍ×長さ２７４０ｍｍ・高さ７６０ｍｍあり、さらにプレーヤーが動くスペースを含めると自宅の居室スペースに置くことは無理である。
【問題を解決するための手段】
【０００７】そこで、本願発明者は台面に落下させるピンポン球に放物線状の軌跡を与える傾斜角度を備えた卓球台を創出することにより、上述の諸問題が解決されることを見出した。
【発明の効果】
【０００８】落下させたピンポン球の軌跡を相手プレーヤー、または球出し装置からの返球と見立てて、各種打法による球筋の練習が出来る。尚、「球筋」とは、ラケットにより打ち出されたピンポン球の描く軌跡をいう。
【０００９】図１に示すように、ピンポン球を落下させる本願発明の卓球台１の表面積は小さくて済む。そして一例であるが、その卓球台１の前方に打った球を受ける囲い７、的（マト）８、ネット９及び回収部１０、収納部１１を有する籠体２を設置することにより、自宅の居室スペースであっても一人で練習が出来る。
【００１０】より具体的には、実施にあたっての設置の必要スペースはプレーヤーの動きも含めて約３畳で済み、さらに練習後の収納は約半畳で済む。
【００１１】また、自宅で一人で出来るので好きなとき、好きなだけ、さらに設営の準備が数分で出来るので手軽に練習が出来る。
【００１２】また、相手プレーヤーとするときや上述の球出し装置ほど返ってくるピンポン球のスピードが速くないので、かえって各種打法の基本フォームのマスター、矯正が出来る。また、自分のテンポで連打も出来る。
【００１３】さらに、動力を必要とする上述の球出し装置を使わないので保守メンテナンスが不要で省エネにも繋がる。
【図面の簡単な説明】
【図１】使用状態の一例を示す斜視図である。
【図２】卓球台１の可動台４において、角度及びピンポン球の落下高さの変化によるピンポン球の放物線の軌跡のイメージ図である。
【図３】各種打法による球筋のイメージ図である。
【図４】任意の角度と所定の角度が設定出来る角度調整器Ａの一例である。
【図５】任意の角度のみ設定出来る角度調整器Ｂの一例である。
【発明を実施するための形態】
【００１４】以下、図１にて説明する。
本願発明の実施の一例としては卓球台１、籠体２、ラインシート３の用具から構成される。
【００１５】本実施形態の卓球台１は可動台４、支柱５、支持台６からなる。また、可動台４の広さは平面視において３０ｃｍ角、または直径３０ｃｍ程度、厚さは上術の卓球台に使われている２５ｍｍ程度で木製である。支柱５は直径３ｃｍ程度、支持台６は可動台４と同じ広さである。また、可動台４が水平のときには設置面から可動台４までの高さは上述の卓球台と同じ７６０ｍｍである。
【００１６】ラインシート３は上述の卓球台の各ライン（サイド、エンド、センター）とネット位置を表示したシートで、床に敷くことで卓球台１及び籠体２を所定の位置に容易に設置することが出来る。
【００１７】練習の準備を説明すると、まずラインシート３を敷き、それぞれのラインに合わせて卓球台１、籠体２を所定の位置に設置する。
【００１８】卓球台１の可動台４の面を任意又は所定の傾斜角度に設定する。
【００１９】一例としては、プレーヤーは利き腕の反対の手にピンポン球を３，４個握り、１個ずつ可動台４に落とし籠体２の的（マト）８を狙って打球する。
【００２０】本実施形態の卓球台１によれば、プレーヤーの右利き、左利きに関係なく、フォアー、バックハンドの練習が出来る。
【００２１】また、籠体２を左右に移動することによって右、左狙いのより実戦に近い練習が出来る。
【００２２】以下、図２，３にて説明する。
可動台４の面の傾斜角度及びピンポン球を落す高さを変えることによって色々な放物線状の軌跡をつくることが出来て、その軌跡に合わせた各種打法（スマッシュ、ドライブ、カットなど）の練習が出来る。
【００２３】可動台４の面を水平にすることでサーブの練習も出来る。
【００２４】ピンポン球の落下及び落下高さの調整を機械式にやる方法も考えられる。
【００２５】以下、他の実施形態として図４の（正面図）及び（左側面図）にて角度調整器Ａを説明する。
【００２６】可動台４の裏面と支柱５の上部に固定した補強板１２が丁番１３で繋がっているので可動台４の回転は自在である。
【００２７】支柱５の上部に弧状のガイドレール１４（巾３ｃｍ×厚み５ｍｍ程度）を貫通させるための貫通孔１５が設けられており、ガイドレール１４の一端は可動台４の裏面に固定されている。その結果、ガイドレール１４と可動台４が一体で動くように構成されている。
【００２８】ガイドレール１４の中心線を中心とし、巾１０ｍｍ×深さ１ｍｍ程度のガイドレールの溝１６（斜線部分）を０°〜４５°の範囲に設ける。
【００２９】さらにガイドレールの溝１６の所定の角度位置（０°，１５°，３０°，４５°）にそれぞれ溝巾と同じ直径１０ｍｍ、深さはガイドレールの溝１６の底面からさらに２ｍｍ程度のガイドレールの穴１７を４個設ける。
【００３０】以下、角度調整の操作について図４の（断面拡大図）にて説明する。
ガイドレール１４を所定の角度、または任意の角度に固定するためツマミ１８を操作する。
【００３１】ツマミ１８の中心線上にガイドレールの穴１７に嵌合する直径１０ｍｍよりわずかに細いピン（斜線部分）が固定されている。
【００３２】ピン１９は、所定の角度の場合はガイドレールの穴１７に嵌合出来るように、また任意の角度の場合はガイドレールの溝１６を摩擦固定が出来るようにソケット２０に内蔵しているバネ２１によってガイドレール側に付勢されている。
【００３３】所定の角度（断面図ａ〜ａ´）から任意の角度（断面図ｂ〜ｂ´）に変える場合は、矢印方向にツマミ１８を少し（例えば３ｍｍ程度）引張ってピン１９をガイドレールの穴１７から抜き、手で可動台４を任意の角度に調整した後、ツマミ１８を離してピン１９の摩擦抵抗で固定させる。
【００３４】以下、もう一つの実施形態として図５にて角度調整器Ｂを説明する。
【００３５】可動台４の裏面と支柱５の上部の補強板１２に固定した丁番１３の噛み合わせ部の複数の隙間にスプリングワッシャー２２を設けることにより生じる摩擦抵抗により、可動台４の回転を半固定状態にし得る。尚、本実施形態における「半固定」とは、固定用レバー２３が無くてもスプリングワッシャー２２の付勢力のみによって、可動台４の角度が維持される状態をいう。
【００３６】可動台４を半固定から固定する機構は次のとおりである。
まず、上述のスプリングワッシャー２２を設けた丁番１３の丁番の軸２４の一端にナット２５を固定し、他端側に設けた固定用レバー２３を締めることにより、摩擦抵抗が大きくなり固定され、緩めると半固定状態になる。
【００３７】半固定状態で可動台４の面の角度を手で任意に調整して固定用レバー２３を締めて固定する。
【００３８】この方式は上述した角度調整器Ａを用いた各実施形態よりコスト的に安くなる。
【００３９】他方、スプリングワッシャー２２の付勢力を強くすることで、固定用レバー２３を締めなくても、ピンポン球を落下させる実際の使用状態で可動台４の面の角度が緩まず問題がなければ固定用レバー２３が不要となり、さらにコストが安くなって操作も簡単になる。
【００４０】丁番１３は長さ２０ｃｍ位の長丁番が良い。
【符号の説明】
【００４１】１、卓球台
２、籠体
３、ラインシート
４、卓球台の可動台
５、  〃  の支柱
６、  〃  の支持台
７、籠体の囲い
８、  〃  の的（マト）
９、  〃  のネット
１０、〃  の回収部
１１、〃  の収納部
１２、補強板
１３、丁番
１４、ガイドレール
１５、貫通孔
１６、ガイドレールの溝
１７、    〃      の穴
１８、ツマミ
１９、ピン
２０、ソケット
２１、バネ
２２、スプリングワッシャー
２３、固定用レバー
２４、丁番の軸
２５、ナット
【図１】
2015037458.tif 000003
【図２】
2015037458.tif 000004
【図３】
2015037458.tif 000005
【図４】
2015037458.tif 000006
【図５】
2015037458.tif 000007
【手続補正書】
【提出日】平成24年10月25日(2012.10.25)
【手続補正１】
【補正対象書類名】特許請求の範囲
【補正対象項目名】全文
【補正方法】変更
【補正の内容】
【特許請求の範囲】
【請求項１】
卓球台の台面の回転を案内する機構を備え、
且つ前記機構が前記台面の回転軸の所定又は任意の角度を少なくとも一時的に維持するとともに、前記台面に落下させるピンポン玉に放射線状の軌跡を与えるための傾斜角度を備えた卓球台。
【請求項２】
前記機構が前記台面の裏面に設けられ、付勢したピンを押し付けることにより０°〜４５°の範囲内の前記任意の角度を維持するガイドレールを備えた請求項１に記載の卓球台。
【請求項３】
前記ガイドレールが前記角度のうち、所定の角度（０°、１５°、３０°、４５°）に対応する位置の凹部に前記ピンを嵌合させることにより前記所定の角度を維持する
請求項１に記載の卓球台。
【請求項４】
前記台面の裏面に設けられた丁番の噛み合わせ部の複数の隙間に、前記噛み合わせ部の摩擦面と圧接させて摩擦抵抗を生ずるようにスプリングワッシャーを設けることにより、前記台面を水平面との角度を０°〜４５°の範囲内の前記任意の角度を維持する
請求項１に記載の卓球台。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
平面視において３０ｃｍ角、または直径３０ｃｍ程度の卓球台の台面が回転を案内する機構を備え、且つ
前記機構が前記台面の回転軸の所定又は任意の角度を少なくとも一時的に維持するとともに、前記台面に落下させるピンポン球にプレーヤーに放射線状の軌跡を与えるため、傾斜面が前記プレーヤーに向いて傾く傾斜角度を備えた卓球台。